(57)【要約】【課題】駆動源を用いることなく用紙を所望の搬送路に向かわせることが可能な用紙反転装置を提供する。【解決手段】このスイッチバック部２０には、分岐搬送路２１と、この分岐搬送路２１の異なる位置に各々連結される反転排紙搬送路２２および再給紙搬送路２３とが設けられている。用紙が反転排紙搬送路２２に送り出される場合には、用紙の引込み後端が分岐搬送路２１の中流部２１２の上流側用紙停止位置Ｓ１に到達したときに停止される一方、用紙が再給紙搬送路２３に送り出される場合には、用紙の引込み後端が分岐搬送路２１の下流部２１３の下流側用紙停止位置Ｓ２に到達したときに停止される。分岐搬送路２１の合流点Ｔ１，Ｔ２の近傍には、用紙が送り出される際に、用紙の送出し先端をその送り出されるべき搬送路２２，２３に向かわせるためのガイド手段４０Ａ，５０Ａがそれぞれ設けられている。【選択図】図２
2009173412.tif 000002
【特許請求の範囲】
【請求項１】
用紙の搬送路上に設けられる用紙引込み部と、この用紙引込み部に設けられ、順逆両方向に回転して用紙引込み部に対して用紙を引き込みあるいは送り出す搬送手段とを備え、搬送路に沿って搬送される用紙を前記用紙引込み部に引き込んだ後にその用紙の引込み先端が後端となるように送り出すことで当該用紙に反転処理を施与する用紙反転装置であって、
前記用紙引込み部に連結され、反転前の用紙が通る引込み経路と、この引込み経路の引込み方向の基側および先側の異なる位置に各々連結され、反転後の用紙が通る第１送出し経路および第２送出し経路とを含み、
引込み経路を通って用紙引込み部に引き込まれた用紙は、当該用紙が第１送出し経路に送り出される場合には、用紙の引込み後端が引込み経路のうちの第１送出し経路との第１合流点から第２送出し経路との第２合流点までの間の第１所定位置に到達したときに停止される一方、用紙が第２送出し経路に送り出される場合には、用紙の引込み後端が引込み経路のうちの第２送出し経路との第２合流点より引込み方向の先側の第２所定位置に到達したときに停止されるようになっており、
引込み経路の各送出し経路との合流点の近傍には、用紙が送り出される際に、用紙の送出し先端をその送り出されるべき送出し経路に向かわせるためのガイド手段がそれぞれ設けられていることを特徴とする用紙反転装置。
【請求項２】
少なくとも一方の前記ガイド手段は、引込み経路と送出し経路とに挟まれた部分に、引込み経路の引込み方向を指すように回動可能に設けられるレバー部材と、このレバー部材を、引込み経路を塞ぐ方向に付勢する付勢手段とで構成されていることを特徴とする請求項１に記載の用紙反転装置。
【請求項３】
前記引込み経路は、送出し経路との合流点から引込み方向に延びる引込み側直線経路部を含み、
前記送出し経路は、引込み経路との合流点から送出し方向に延びる送出し側直線経路部を含み、
少なくとも一方の前記ガイド手段は、前記引込み側直線経路部と、前記送出し側直線経路部とで構成されていることを特徴とする請求項１に記載の用紙反転装置。
【請求項４】
請求項１〜３のいずれか一項に記載の用紙反転装置が適用されていることを特徴とする画像形成装置。
【発明の詳細な説明】
【技術分野】
【０００１】
本発明は、搬送路に沿って搬送される用紙に反転処理を施す用紙反転装置およびそれを備えた画像形成装置に関する。
【背景技術】
【０００２】
従来、搬送路に沿って搬送される用紙に反転処理を施すためのスイッチバック部（用紙反転装置）を備えた複写機等の画像形成装置が知られている（特許文献１）。
【０００３】
このような画像形成装置では、スイッチバック部で反転された用紙を、目的に応じて、異なる搬送路に送り出すように構成されているものがある。
【０００４】
例えば、図７に示す画像形成装置は、分岐搬送路１２１を通って引き込まれた用紙を、反転処理後に印刷面が裏面となった状態で直ちに排紙する場合には、反転排紙搬送路１２２に送り出され、反転処理後に用紙の裏面にも画像形成処理を施す場合には、再給紙搬送路１２３に送り出されるようになっている。
【０００５】
具体的には、反転ローラ３２を備えたスイッチバック部３０Ｄの直下流に反転排紙搬送路１２２と再給紙搬送路１２３とが分岐して延設されており、その分岐点近傍には用紙の搬送方向を切り替えるための切替え部材７０が回動可能に設けられている。この切替え部材７０は、用紙をいずれの搬送路に向かわせるべきかを判定する図略の制御装置によってその姿勢の制御が行われるようになっている。
【０００６】
そして、反転排紙される用紙は、切替え部材７０によって反転排紙搬送路１２２に向けてガイドされ、再給紙される用紙は、切替え部材７０によって再給紙搬送路１２３に向けてガイドされるようになっている。
【特許文献１】特開平５−３５０１８号公報
【発明の開示】
【発明が解決しようとする課題】
【０００７】
しかしながら、上記のような構成では、切替え部材７０の姿勢を必要に応じて切り替えるためのソレノイド等の駆動源が必要となる。
【０００８】
本発明は、上記のような課題を解決するためになされたものであり、駆動源を用いることなく用紙を所望の搬送路に向かわせることが可能な用紙反転装置および画像形成装置を提供することを目的とする。
【課題を解決するための手段】
【０００９】
上記目的を達成するために、本発明の請求項１に記載の用紙反転装置は、用紙の搬送路上に設けられる用紙引込み部と、この用紙引込み部に設けられ、順逆両方向に回転して用紙引込み部に対して用紙を引き込みあるいは送り出す搬送手段とを備え、搬送路に沿って搬送される用紙を前記用紙引込み部に引き込んだ後にその用紙の引込み先端が後端となるように送り出すことで当該用紙に反転処理を施与する用紙反転装置であって、前記用紙引込み部に連結され、反転前の用紙が通る引込み経路と、この引込み経路の引込み方向の基側および先側の異なる位置に各々連結され、反転後の用紙が通る第１送出し経路および第２送出し経路とを含み、引込み経路を通って用紙引込み部に引き込まれた用紙は、当該用紙が第１送出し経路に送り出される場合には、用紙の引込み後端が引込み経路のうちの第１送出し経路との第１合流点から第２送出し経路との第２合流点までの間の第１所定位置に到達したときに停止される一方、用紙が第２送出し経路に送り出される場合には、用紙の引込み後端が引込み経路のうちの第２送出し経路との第２合流点より引込み方向の先側の第２所定位置に到達したときに停止されるようになっており、引込み経路の各送出し経路との合流点の近傍には、用紙が送り出される際に、用紙の送出し先端をその送り出されるべき送出し経路に向かわせるためのガイド手段がそれぞれ設けられていることを特徴とする。
【００１０】
請求項１に記載の用紙反転装置において、少なくとも一方の前記ガイド手段は、引込み経路と送出し経路とに挟まれた部分に、引込み経路の引込み方向を指すように回動可能に設けられるレバー部材と、このレバー部材を、引込み経路を塞ぐ方向に付勢する付勢手段とで構成されていてもよい（請求項２）。
【００１１】
請求項１に記載の用紙反転装置において、前記引込み経路は、送出し経路との合流点から引込み方向に延びる引込み側直線経路部を含み、前記送出し経路は、引込み経路との合流点から送出し方向に延びる送出し側直線経路部を含み、少なくとも一方の前記ガイド手段は、前記引込み側直線経路部と、前記送出し側直線経路部とで構成されていてもよい（請求項３）。
【００１２】
また、本発明の請求項４に記載の画像形成装置は、請求項１〜３のいずれか一項に記載の用紙反転装置が適用されていることを特徴とする。
【発明の効果】
【００１３】
本発明の請求項１および請求項４の発明によれば、各送出し経路が引込み経路の異なる位置に連結するようにし、使用する送出し経路によって用紙停止位置を異ならせ、さらに、引込み経路の各送出し経路との合流点近傍に用紙を当該送出し経路へと導くガイド手段を設けたので、従来のように、制御部により駆動制御される駆動源によって、用紙の送出し経路を選択的に切り替えるように作動する切替え部材を設けることなく、使用する送出し経路に用紙を確実に送り出すことができる。従って、駆動源を用いることなく、用紙を所望の送出し経路に送り出すことができる。
【００１４】
請求項２の発明によれば、ガイド手段を、引込み経路と送出し経路とに挟まれた部分に、引込み経路の引込み方向を指すように回動可能に設けられるレバー部材と、このレバー部材を、引込み経路を塞ぐ方向に付勢する付勢手段とで構成することによって、用紙の送出しの際には、引込み方向を指す姿勢で引込み経路を塞ぐように配されるレバー部材が、送出し方向に搬送される用紙の送出し先端からの作用では、引込み経路を開放する向きに回動することがないので、用紙の引込み経路への逆送を確実に防ぎつつ、用紙を送出し経路に向けて誘導することができる。また、上記構成のレバー部材は、引込み方向に搬送される用紙の引込み先端から受ける力によって、付勢手段の付勢力に抗して容易に引込み経路を開放する向きに回動するので、用紙の引込み方向への搬送を妨げない。
【００１５】
請求項３の発明によれば、ガイド手段を、引込み経路の送出し経路との合流点から引込み方向に延びる引込み側直線経路部と、送出し経路の引込み経路との合流点から送出し方向に延びる送出し側直線経路部とで構成すれば、引込み経路を引込み方向に搬送されてその引込み後端が合流点に到達した用紙は、当該用紙のこしによって直線状に復元して、その引込み後端（送出し先端）が送出し経路を向くようになるため、用紙の送出しの際には、用紙が送出し経路に自ずと向かうようになる。これにより、用紙の引込み経路への逆送を防ぐことができる。
【発明を実施するための最良の形態】
【００１６】
以下、本発明の実施形態を図面に基づいて説明する。
【００１７】
（第１実施形態）
図１は、本発明の第１実施形態による複写機の全体構成を示した正面断面図であり、図２は、図１に示した複写機のスイッチバック部周辺の構成を示した概略説明図である。また、図３は、図２に示したスイッチバック部の第１合流点における用紙反転動作を説明するための概略説明図である。まず、図１および図２を参照して、複写機１０の全体構成について説明する。なお、本実施形態では、画像形成装置として複写機１０を例に挙げて説明する。
【００１８】
複写機１０は、コピー動作を行うに際し、装置本体１９内の画像形成部１１において、帯電ユニット１１１により図中の矢印方向（時計方向）に回転する感光体ドラム１１２が一様に帯電され、原稿読取部１２で読み取られた原稿画像データに基づく露光ユニット１３からのレーザビームにより感光体ドラム１１２上に静電潜像が形成され、現像装置１１３により静電潜像に現像剤（以下、トナーという）が付着されてトナー像が形成される。この現像装置１１３へのトナーの供給はトナーコンテナ１１４から行われる。
【００１９】
そして、トナー像が形成された感光体ドラム１１２に向けて、用紙Ｐが用紙給送部１７から複数の搬送ローラ対１４１を備えた給紙搬送路１４を経由して画像形成部１１に搬送され、この画像形成部１１において転写ベルト１５により感光体ドラム１１２の表面におけるトナー像が用紙Ｐに転写される。そして、トナー像が転写された用紙Ｐは感光体ドラム１１２から分離され、内部にハロゲンランプ等の加熱源が設けられた定着ローラ１６１および周面が当該定着ローラ１６１の周面に押圧当接される加圧ローラ１６２を備えた定着装置１６に搬送され、ここで加熱によるトナー像の定着処理が施される。
【００２０】
感光体ドラム１１２の周面における帯電ユニット１１１の上流側にはクリーニング装置１１５が設けられ、転写処理後の感光体ドラム１１２の周面に残留しているトナーがこのクリーニング装置１１５によって掻き落される。また、感光体ドラム１１２の周面におけるクリーニング装置１１５の下流側と前記帯電ユニット１１１との間には除電装置１１６が設けられ、この除電装置１１６によって感光体ドラム１１２周面の残留電荷が除電される。
【００２１】
定着装置１６を通過した用紙Ｐは、直ちに排紙トレイ１８に排出されるか、あるいは本発明に係るスイッチバック部（用紙反転装置）３０Ａに送られて表裏が反転された後に排紙トレイ１８に排出されるか、あるいは上記スイッチバック部３０Ａに送られて表裏が反転され、再度画像形成部１１に戻されて両面コピーされ、定着装置１６で定着処理が施された後に排紙トレイ１８へ排出される。
【００２２】
詳細には、定着装置１６から排紙トレイ１８へ到る排紙搬送路１４２の途中に下方のスイッチバック部３０Ａへ向かう分岐搬送路２１が設けられている。この分岐搬送路２１の最上流位置には、所定の水平軸回りに回動可能な切換ガイド１４４が設けられている。定着装置１６から送り出された用紙Ｐは、片面印刷のみで印刷面が表となるように排紙を行うときには、切換ガイド１４４によって排紙搬送路１４２を通って排紙トレイ１８へ排紙される。一方、用紙Ｐが片面印刷のみで印刷面が裏となるように排紙を行うときや、用紙Ｐが両面印刷されるものであるときは、切換ガイド１４４によって下方に誘導されて分岐搬送路２１へ案内され、スイッチバック部３０Ａへ送り込まれる。
【００２３】
前記用紙給送部１７は、少量の用紙Ｐを貯留する複数の用紙カートリッジ１７１と、大量の用紙Ｐをストックするストッカー１７２と、用紙カートリッジ１７１およびストッカー１７２に貯留された用紙束から最上位の用紙Ｐを繰り出し、給紙搬送路１４を介して画像形成部１１へ送り込むためのピックアップローラ１７３とを備えている。用紙カートリッジ１７１およびストッカー１７２は、装置本体１９に対して着脱自在とされ、用紙Ｐが消費されて空になると装置本体１９から引き出されて新たに用紙Ｐが補給され、装置本体１９に押し込まれる。
【００２４】
次に、上記スイッチバック部３０Ａについて詳細に説明する。
【００２５】
スイッチバック部３０Ａは、図１および図２に示すように、水平に延びる用紙引込み部３１と、この用紙引込み部３１に設けられ、順逆両方向に回転して用紙引込み部３１に対して用紙を引き込みあるいは送り出す反転ローラ対（搬送手段）３２とを有している。
【００２６】
前記反転ローラ対３２は、用紙引込み部３１の入口付近に設けられており、用紙Ｐに接触した状態で順回転して当該用紙Ｐを用紙引込み部３１内に引き込む一方、用紙Ｐに接触した状態で逆回転して当該用紙Ｐを用紙引込み部３１から送り出すように構成されている。
【００２７】
この反転ローラ対３２は、前後方向に延びた従動ローラと、下部でこの従動ローラに対向配置された前後方向に延びた駆動ローラとからなっている。駆動ローラは、順逆両方向に回転駆動するように構成されており、当該駆動ローラの両方向の回転に伴って、従動ローラも順逆両方向に回転して用紙Ｐを順方向（右方向）あるいは逆方向（左方向）に搬送するようになっている。
【００２８】
また、スイッチバック部３０Ａには、用紙引込み部３１に連結され、反転前の用紙が通る分岐搬送路（引込み経路）２１と、この分岐搬送路２１の引込み方向の基側および先側の異なる位置に各々連結され、反転後の用紙が通る反転排紙搬送路（第１送出し経路）２２および再給紙搬送路（第２送出し経路）２３とからなる用紙の搬送路が設けられている。
【００２９】
分岐搬送路２１は、切替えガイド１４４から鉛直下方に延びた後、右斜め下方に傾斜して延び、さらに水平に右方に延びて、用紙引込み部３１に連結される態様となっている。
【００３０】
また、反転排紙搬送路２２は、分岐搬送路２１の鉛直に延びる部分の略中央位置から左斜め上方に分岐するように延びた後、鉛直上方に延びて、排紙搬送路１４２に連結される態様となっている。なお、分岐搬送路２１と反転排紙搬送路２２との分岐点を、第１合流点Ｔ１（図２参照）とする。
【００３１】
また、再給紙搬送路２３は、分岐搬送路２１の水平に延びる部分の左端から水平に左方に分岐するように延びた後、下方に回り込んで右方に折り返すように延びる態様となっている。なお、分岐搬送路２１と再給紙搬送路２３との分岐点を、第２合流点Ｔ２（図２参照）とする。
【００３２】
そして、分岐搬送路２１は、第１合流点Ｔ１より上流の上流部２１１と、第１合流点Ｔ１および第２合流点Ｔ２の間の中流部２１２と、第２合流点Ｔ２より下流の下流部２１３とを有する構成となっている。
【００３３】
そして、本実施形態では、分岐搬送路２１を通って用紙引込み部３１に引き込まれた用紙Ｐは、当該用紙が反転排紙搬送路２２に送り出される場合には、用紙の引込み後端（送出し先端）Ｐ１（図３参照）が分岐搬送路２１の中流部２１２に設定される上流側用紙停止位置（第１所定位置）Ｓ１に到達したときに停止される一方、用紙が再給紙搬送路２３に送り出される場合には、用紙の引込み後端Ｐ１が分岐搬送路２１の下流部２１３に設定される下流側用紙停止位置（第２所定位置）Ｓ２に到達したときに停止されるようになっている。なお、この用紙の停止動作は、図略の制御装置による反転ローラ対３２の駆動制御によってなされる。
【００３４】
さらに、各合流点Ｔ１，Ｔ２の近傍には、用紙が送り出される際に、用紙の送出し先端をその送り出されるべき各搬送路２２，２３に向かわせるためのガイド手段４０Ａ，５０Ａがそれぞれ設けられている。
【００３５】
本実施形態では、第１合流点Ｔ１近傍に設けられているガイド手段４０Ａは、分岐搬送路２１の上流部２１１と反転排紙搬送路２２とに挟まれた部分に、分岐搬送路２１の引込み方向（図では下方）側の中流部２１２を指すように回動可能に設けられる上流側ガイドレバー（レバー部材）４１と、この上流側ガイドレバー４１を、分岐搬送路２１の上流部２１１を塞ぐ方向に付勢する引張りバネ（付勢手段）４３とで構成されている。
【００３６】
上流側ガイドレバー４１は、支点部４２を中心に回動するようになっている。
【００３７】
引張りバネ４３は、装置本体１９の適所に取り付けられており、分岐搬送路２１を搬送される用紙の力で、上流側ガイドレバー４１が容易に、分岐搬送路２１の上流部２１１を開放する向き（時計回り方向）に回動される程度の付勢力で当該上流側ガイドレバー４１を付勢するように設定されている。なお、引張りバネ４３以外の板バネや支点部４２に設けたねじりコイルバネ等の付勢手段であってもよい。
【００３８】
このように構成されたガイド手段４０Ａでは、図３（ａ）に示すように、分岐搬送路２１の上流部２１１を搬送されてきた用紙Ｐによって上流側ガイドレバー４１が簡単に上流部２１１を開放する向きに回動され、用紙Ｐの搬送が十分円滑に行われる。そして、図３（ｂ）に示すように、用紙Ｐの引込み後端Ｐ１が上流側ガイドレバー４１の先端を通過したことによって、上流側ガイドレバー４１が引張りバネ４３の付勢力によって分岐搬送路２１の上流部２１１を塞ぐ向き（反時計回り方向）に回動し、再び上流部２１１を塞ぐ。これによって、その後に送り出される用紙Ｐは、図３（ｃ）に示すように、分岐搬送路２１の上流部２１１に向けて逆送されることなく、反転排紙搬送路２２に向かうことになる。
【００３９】
また、第２合流点Ｔ２近傍に設けられているガイド手段５０Ａは、分岐搬送路２１の中流部２１２と再給紙搬送路２３とに挟まれた部分に、分岐搬送路２１の引込み方向（図では右方）側の下流部２１３を指すように回動可能に設けられる下流側ガイドレバー（レバー部材）５１と、この下流側ガイドレバー５１を、分岐搬送路２１の中流部２１２を塞ぐ方向に付勢する引張りバネ（付勢手段）５３とで構成されている。
【００４０】
下流側ガイドレバー５１は、支点部５２を中心に回動するようになっている。
【００４１】
引張りバネ５３は、装置本体１９の適所に取り付けられており、分岐搬送路２１を搬送される用紙の力で、下流側ガイドレバー５１が容易に、分岐搬送路２１の中流部２１２を開放する向き（時計回り方向）に回動される程度の付勢力で当該下流側ガイドレバー５１を付勢するように設定されている。
【００４２】
このように構成されたガイド手段５０Ａによる用紙ガイド動作は、上記ガイド手段４０Ａと略同様であるので、その詳細な記載は省略する。
【００４３】
また、上流側ガイドレバー４１の上方には、分岐搬送路２１の上流部２１１を搬送される用紙の引込み後端位置を検知するための上流側用紙後端検知センサ６１が設けられている。また、下流側ガイドレバー５１の上方の中流部２１２を挟んだ対向部位には、分岐搬送路２１の中流部２１２を搬送される用紙の引込み後端位置を検知するための下流側用紙後端検知センサ６２が設けられている。これらのセンサ６１，６２で用紙の引込み後端を検知し、その検知信号が制御装置に送信されることによって、制御装置は、搬送中の用紙の位置を把握し、用紙が所定の停止位置で停止されるように反転ローラ対３２の駆動制御を行う。
【００４４】
そして、分岐搬送路２１を用紙引込み部３１に向けて搬送されてきた用紙Ｐは、送り出されるべき所望の搬送路２２，２３に応じた用紙停止位置Ｓ１，Ｓ２で停止され、さらに、反転ローラ対３２の反転駆動による送出し時に、上述のガイド手段４０Ａ，５０Ａに誘導されることによって、前記所望の搬送路２２，２３に向けて確実に搬送される。
【００４５】
第１実施形態では、上記のように、反転排紙搬送路２２および再給紙搬送路２３（以下、各送出し経路と略する）が分岐搬送路２１の異なる位置に連結するようにし、反転後に用紙を送り出す各送出し経路によって用紙停止位置Ｓ１，Ｓ２を異ならせ、さらに、分岐搬送路２１の各送出し経路との合流点Ｔ１，Ｔ２近傍に用紙を当該送出し経路へと導くガイド手段４０Ａ，５０Ａを設けたので、従来のように、制御部により駆動制御される駆動源によって、用紙の送出し経路を選択的に切り替えるように作動する切替え部材を設けることなく、用紙を送り出す送出し経路に用紙を確実に送り出すことができる。従って、駆動源を用いることなく、用紙を所望の送出し経路に送り出すことができる。
【００４６】
また、第１実施形態では、上記のように、ガイド手段４０Ａ（５０Ａ）を、分岐搬送路２１と反転排紙搬送路２２（再給紙搬送路２３）とに挟まれた部分に、分岐搬送路２１の引込み方向を指すように回動可能に設けられるガイドレバー４１（５１）と、このガイドレバー４１（５１）を、分岐搬送路２１を塞ぐ方向に付勢する引張りバネ４３（５３）とで構成することによって、用紙の送出しの際には、引込み方向を指す姿勢で分岐搬送路２１を塞ぐように配されるガイドレバー４１（５１）が、送出し方向に搬送される用紙の送出し先端からの作用では、分岐搬送路２１を開放する向きに回動することがないので、用紙の分岐搬送路２１への逆送を確実に防ぎつつ、用紙を反転排紙搬送路２２（再給紙搬送路２３）に向けて誘導することができる。
【００４７】
また、上記構成のガイドレバー４１（５１）は、引込み方向に搬送される用紙の引込み先端から受ける力によって、引張りバネ４３（５３）の付勢力に抗して容易に分岐搬送路２１を開放する向きに回動するので、用紙の引込み方向への搬送を妨げない。
【００４８】
（第２実施形態）
図４は、本発明の第２実施形態による複写機のスイッチバック部周辺の構成を示した概略説明図であり、図５は、図４に示したスイッチバック部の第１合流点における用紙反転動作を説明するための概略説明図である。
【００４９】
この第２実施形態のスイッチバック部３０Ｂでは、用紙の搬送路を構成する各搬送路２１〜２３の配置態様と、各合流点Ｔ１，Ｔ２に設けられたガイド手段４０Ｂ，５０Ｂの構成とが、上記第１実施形態と異なっている。
【００５０】
すなわち、第２実施形態のスイッチバック部３０Ｂの分岐搬送路２１は、切替えガイド１４４から左斜め下方に傾斜して延びた後、鉛直下方に延び、さらに右斜め下方に傾斜して延び、最後に水平に右方に延びて、用紙引込み部３１に連結される態様となっている。
【００５１】
また、スイッチバック部３０Ｂの反転排紙搬送路２２は、分岐搬送路２１の鉛直に延びる部分の上端から鉛直上方に分岐するように延びて、排紙搬送路１４２に連結される態様となっている。なお、分岐搬送路２１と反転排紙搬送路２２との分岐点を、第１合流点Ｔ１とする。
【００５２】
また、スイッチバック部３０Ｂの再給紙搬送路２３は、分岐搬送路２１の水平に延びる部分の左端から水平に左方に分岐するように所定長さだけ直線状に延びた後、下方に回り込んで右方に折り返すように延びる態様となっている。なお、分岐搬送路２１と再給紙搬送路２３との分岐点を、第２合流点Ｔ２とする。
【００５３】
そして、分岐搬送路２１は、第１合流点Ｔ１より上流の上流部２１１と、第１合流点Ｔ１および第２合流点Ｔ２の間の中流部２１２と、第２合流点Ｔ２より下流の下流部２１３とを有する構成となっている。また、中流部２１２のうちの前記鉛直に延びる直線部分は、引込み側直線経路部２１４となっている。なお、水平（直線状）に右方に延びる下流部２１３は、本発明の「引込み側直線経路部」に相当している。
【００５４】
また、反転排紙搬送路２２および再給紙搬送路２３の各合流点Ｔ１，Ｔ２から送出し方向に延びる直線部分は、それぞれ、送出し側直線経路部２２１，２３１となっている。
【００５５】
そして、第２実施形態では、ガイド手段４０Ｂが、前記下流部２１３と前記送出し側直線経路部２２１とで構成されており、ガイド手段５０Ｂが、前記引込み側直線経路部２１４と前記送出し側直線経路部２３１とで構成されている。
【００５６】
このように構成されたガイド手段４０Ｂでは、図５（ａ）に示すように、分岐搬送路２１の上流部２１１を搬送される用紙は、分岐搬送路２１の上流部２１１および中流部２１２間の屈曲形状によって、当該用紙のこしに抗うように湾曲した状態となっている。そして、図５（ｂ）に示すように、引込み後端Ｐ１が第１合流点Ｔ１に到達した用紙Ｐは、当該用紙のこしによって直線状に復元し、その引込み後端Ｐ１が反転排紙搬送路２２を向く姿勢となる。これによって、図５（ｃ）に示すように、その後に送り出される用紙Ｐは、分岐搬送路２１の上流部２１１に向けて逆送されることなく、反転排紙搬送路２２に向かうことになる。
【００５７】
また、ガイド手段５０Ｂによる用紙ガイド動作における作用は、上記ガイド手段４０Ｂと略同様であるので、その詳細な記載は省略する。
【００５８】
そして、分岐搬送路２１を用紙引込み部３１に向けて搬送されてきた用紙Ｐは、上記第１実施形態と同様の各センサ６１，６２からの検知信号を受信可能な図略の制御装置による反転ローラ対３２の駆動制御によって、送り出されるべき所望の搬送路２２，２３に応じた用紙停止位置Ｓ１，Ｓ２で停止され、さらに、反転ローラ対３２の反転駆動による送出し時に、上述のガイド手段４０Ｂ，５０Ｂに誘導されることによって、前記所望の搬送路２２，２３に向けて確実に搬送される。
【００５９】
第２実施形態では、上記のように、ガイド手段４０Ｂ（５０Ｂ）を、分岐搬送路２１の反転排紙搬送路２２（再給紙搬送路２３）との合流点Ｔ１（Ｔ２）から引込み方向に延びる引込み側直線経路部２１４（下流部２１３）と、反転排紙搬送路２２（再給紙搬送路２３）の分岐搬送路２１との合流点Ｔ１（Ｔ２）から送出し方向に延びる送出し側直線経路部２２１（２３１）とで構成したので、分岐搬送路２１を引込み方向に搬送されてその引込み後端Ｐ１が合流点に到達した用紙Ｐは、当該用紙のこしによって直線状に復元して、その引込み後端（送出し先端）Ｐ１が反転排紙搬送路２２（再給紙搬送路２３）を向くようになるため、用紙の送出しの際には、用紙Ｐが反転排紙搬送路２２（再給紙搬送路２３）に自ずと向かうようになる。これにより、用紙の分岐搬送路２１への逆送を防ぐことができる。
【００６０】
本発明は上記の実施形態に限定されるものではなく、以下の内容をも包含するものである。
【００６１】
上記の実施形態においては、画像形成装置として複写機１０を例に挙げて説明したが、本発明は、画像形成装置が複写機１０であることに限定されるものではなく、プリンタやファクシミリ装置であってもよい。
【００６２】
また、図６に示すように、第１実施形態によるガイド手段４０Ａを第１合流点Ｔ１の近傍に備えるとともに、第２実施形態によるガイド手段５０Ｂを第２合流点Ｔ２の近傍に備える構成のスイッチバック部３０Ｃであってもよい。
【００６３】
また、第１実施形態によるガイド手段４０Ａおよび第２実施形態によるガイド手段４０Ｂの両方の構成を備えたガイド手段であってもよい。すなわち、第２実施形態に示すように、各搬送路２１，２２（２３）に引込み側直線経路部および送出し側直線経路部を設けるのに加えて、第１実施形態に示すように、合流点近傍に、引張りバネにより分岐搬送路２１を塞ぐ方向に付勢されたガイドレバーを設けた構成であってもよい。このようにすれば、用紙の逆送をより確実に防止することが可能になり、用紙を所望の搬送路２２，２３に向けて確実に搬送することができるようになる。
【図面の簡単な説明】
【００６４】
【図１】本発明の第１実施形態による複写機の全体構成を示した正面断面図である。
【図２】図１に示した複写機のスイッチバック部周辺の構成を示した概略説明図である。
【図３】図２に示したスイッチバック部の第１合流点における用紙反転動作を説明するための概略説明図であり、（ａ）は用紙を引込み方向に搬送中の状態を示した図、（ｂ）は用紙後端がガイドレバーの先端を通過した直後の状態を示した図、（ｃ）は用紙を送出し方向に搬送中の状態を示した図である。
【図４】本発明の第２実施形態による複写機のスイッチバック部周辺の構成を示した概略説明図である。
【図５】図４に示したスイッチバック部の第１合流点における用紙反転動作を説明するための概略説明図であり、（ａ）は用紙を引込み方向に搬送中の状態を示した図、（ｂ）は用紙後端が第１合流点に到達した直後の状態を示した図、（ｃ）は用紙を送出し方向に搬送中の状態を示した図である。
【図６】本発明の変形例による複写機のスイッチバック部周辺の構成を示した概略説明図である。
【図７】従来の複写機のスイッチバック部周辺の構成を示した概略説明図である。
【符号の説明】
【００６５】
１０  複写機（画像形成装置）
２１  分岐搬送路（引込み経路）
２１３  下流部（引込み側直線経路部）
２１４  引込み側直線経路部
２２  反転排紙搬送路（第１送出し経路）
２２１  送出し側直線経路部
２３  再給紙搬送路（第２送出し経路）
２３１  送出し側直線経路部
３０Ａ，３０Ｂ，３０Ｃ  スイッチバック部（用紙反転装置）
３１  用紙引込み部
３２  反転ローラ対（搬送手段）
４０Ａ、５０Ａ、４０Ｂ、５０Ｂ  ガイド手段
４１  上流側ガイドレバー（レバー部材）
４３  引張りバネ（付勢手段）
５１  下流側ガイドレバー（レバー部材）
５３  引張りバネ（付勢手段）
Ｐ  用紙
Ｓ１  上流側用紙停止位置（第１所定位置）
Ｓ２  下流側用紙停止位置（第２所定位置）
Ｔ１  第１合流点
Ｔ２  第２合流点
【図１】
2009173412.tif 000003
【図２】
2009173412.tif 000004
【図３】
2009173412.tif 000005
【図４】
2009173412.tif 000006
【図５】
2009173412.tif 000007
【図６】
2009173412.tif 000008
【図７】
2009173412.tif 000009